(57)【要約】      （修正有）【課題】ヘッドバンドの長さ調整が容易であって、装置を自己の頭部に装着した後、一度の動作で頭部に確実にフィットする耳覆い装置を提供すること。【解決手段】耳覆い装置が、帯状体に形成したバンド部材１０と、バンド部材１０の自由端に設けたカップ部材とからなり、カップ部材は断面椀状に形成され保温カバーが被覆される。バンド部材１０は、１本の主バンド体１０１と２本の副バンド体１０２を有している。主バンド体１０１の先端位置にバンドの長さ方向に延びる調整ガイド溝１１０を設ける。副バンド体１０２の基端部に係合突起を設け、係合突起を調整ガイド溝１１０に係合して副バンド体１０２と主バンド体１０１を摺動自在に結合し、バンド部材１０の長さ調整を可能にする。バンド部材１０の長さ調整は耳覆い装置を人の頭部に装着した後であっても可能である。【選択図】図２
2012034937.tif 000002
【特許請求の範囲】
【請求項１】
耳覆い装置が、帯状体に形成したバンド部材（１０）と、該バンド部材の自由端に設けたカップ部材（２０）とからなり、上記バンド部材がアーチ型であって人の頭部に合致する湾曲形状であり、上記カップ部材が断面椀状に形成され保温カバー（３０）を被覆するものにおいて、上記バンド部材（１０）が、１本の主バンド体（１０１）と２本の副バンド体（１０２）を有しており、上記主バンド体の先端位置にバンドの長さ方向に延びる調整ガイド溝（１１０）を設け、上記副バンド体の基端部に係合突起（１２０）を設け、当該係合突起を上記調整ガイド溝に係合して上記副バンド体（１０２）を上記主バンド体（１０１）に摺動自在に結合したものであって、上記バンド部材の長さ調整が、耳覆い装置を人の頭部に装着した後であっても可能にしたことを特徴とする耳覆い装置。
【請求項２】
バンド部材（１０）の主バンド体（１０１）は、バンド体の頂部近傍の厚みを他の部分よりも若干薄く形成した薄肉部（１０１ａ）が設けられており、上記バンド部材に対し、先端に設けたカップ部材を装置の中心に向って付勢させるスプリング効果を発揮させることを特徴とする請求項１に記載の耳覆い装置。
【発明の詳細な説明】
【技術分野】
【０００１】
本発明は、耳覆い装置に関しており、さらに詳しくは、ヘッドバンドの長さ調整が容易な耳覆い装置に関している。
【背景技術】
【０００２】
耳覆い装置が、人の頭部形状に沿って湾曲しているヘッドバンドを有し、ヘッドバンドの先端に設けたカップ部材に保温カバーを装着したものは古くから知られている。また、耳覆い装置が、ヘッドバンドの長さ調整を可能に形成されていて、使用する人の頭部の大きさに合わせて装着できるようにしたものも良く知られている。
【０００３】
ヘッドバンドの長さ調整が可能に形成されている耳覆い装置が、下記の特許文献１，２に記載されている。
【特許文献１】特開平１０−７９９９４号公報
【特許文献２】特開２００２−１１０３６号公報
【０００４】
特許文献１の図２６に記載のヘッドバンド（可撓性バンド１８）は、バンド主体（半円状第１部材１５４，半円状第２部材１５６）の一方の先端にリング（被包部分１５８，１６０）を設けたものであり、バンド主体の他端を相手方のリング内に挿入して組み立て、バンド主体を長さ方向にスライドさせることによりヘッドバンド全体の長さを調整するものである。
【０００５】
また、特許文献２の図１，２に記載のヘッドバンド（１０）は、バンド部材（１１，１１ａ）の一方の先端にリング体（１２，１２ａ）を設け、バンド部材の他端を相手方のリング体に挿入し、バンド部材をスライドさせることでヘッドバンドの長さを調整可能にしたもので、特許文献１と共通の構造を備えている。
【０００６】
特許文献１及び２に記載のヘッドバンドは、耳覆いを装着する前に、ヘッドバンドが自己の頭部に合致する長さに調整しておくものであるが、装着後にヘッドバンドの長さが合っていない場合は、装置を頭部から外して長さ調整をしなおす必要があった。また、近年はヘッドバンドにも保温カバーを被覆したものが商品化されているが、この場合は、ヘッドバンドの長さ調整作業を保温カバー内で行うために、調整作業が手探り状態でなされることなどが原因となり、一度の調整で自己の頭部に確実にフィットするものが得難いと言った問題が生じている。
【発明の開示】
【発明が解決しようとする課題】
【０００７】
本発明が解決しようとする課題は、ヘッドバンドの長さ調整が容易であって、装置を自己の頭部に装着した後、一度の動作で頭部に確実にフィットする耳覆い装置を提供することである。
【課題を解決するための手段】
【０００８】
解決手段の第１は、耳覆い装置が、帯状体に形成したバンド部材と、該バンド部材の自由端に設けたカップ部材とからなり、上記バンド部材がアーチ型であって人の頭部に合致する湾曲形状であり、上記カップ部材が断面椀状に形成され保温カバーを被覆するものにおいて、上記バンド部材が、１本の主バンド体と２本の副バンド体を有しており、上記主バンド体の先端位置にバンドの長さ方向に延びる調整ガイド溝を設け、上記副バンド体の基端部に係合突起を設け、当該係合突起を上記調整ガイド溝に係合して上記副バンド体を上記主バンド体に摺動自在に結合したものであって、上記バンド部材の長さ調整が、耳覆い装置を人の頭部に装着した後であっても可能にしたことを特徴とするものである。
【０００９】
解決手段の第２は、解決手段の第１において、バンド部材の主バンド体は、バンド体の頂部近傍の厚みを他の部分よりも若干薄く形成した薄肉部が設けられており、上記バンド部材に対し、先端に設けたカップ部材を装置の中心に向って付勢させるスプリング効果を発揮させることを特徴とするものである。
【発明の効果】
【００１０】
請求項１は、バンド部材の長さ調整が、耳覆い装置を人の頭部に装着した後であっても可能になるものであるから、従来構造と比べて、バンド部材の長さ調整がきわめて容易であり、使い勝手が良いものになることの効果がある。
【００１１】
請求項２は、バンド部材が、カップ部材を人の耳部に押し当てるスプリング効果を発揮するものであるから、従来構造と比べて、フィット感に優れたものになることの効果がある。
【図面の簡単な説明】
【００１２】
【図１】耳覆い装置の全体を示す正面図。
【図２】バンド部材からカップ部材を外した状態を示す斜視図。
【図３】バンド部材の中央縦断面図。
【図４】バンド部材における主バンド体と副バンド体の結合部を示すものであって、Ａはバンド部材の正面視における左側先端位置を示す斜視図、Ｂは同位置における主バンド体と副バンド体の結合部を示す断面図。
【図５】バンド部材における主バンド体と副バンド体の結合部を示すものであって、Ａはバンド部材の正面視における右側先端位置を示す斜視図、Ｂは同位置における主バンド体と副バンド体の結合部を示す断面図。
【図６】バンド部材における主バンド体と副バンド体の結合部を示す縦断面図。
【図７】バンド部材の先端位置とカップ部材を示す斜視図。
【図８】バンド部材とカップ部材の結合状態を示す断面図。
【発明を実施するための形態】
【００１３】
図１において、耳覆い装置１は、帯状体に形成されたバンド部材１０と該バンド部材１０の自由端となる先端に設けたカップ部材２０とからなり、バンド部材１０が、アーチ型形状であって、人の頭部形状に合致する湾曲形状に形成されており、カップ部材２０が、断面椀状に形成されており、当該カップ部材２０に布製の保温カバー３０を被覆するものである。
【００１４】
実施形態において、上記バンド部材１０及びカップ部材２０は、いずれもプラスチックの成型品である。また、実施形態においては、カップ部材２０に保温カバー３０を被覆しているが、バンド部材１０にも保温カバーを被覆することができるものである。
【００１５】
図２ないし図６において、上記バンド部材１０は、１本の主バンド体１０１と、２本の副バンド体１０２とからなり、主バンド体１０１の自由端となる先端位置に、副バンド体１０２が摺動自在に結合されており、副バンド体１０２の摺動位置を適宜選択することにより、バンド部材１０の全体の長さ調整が可能となるものである（図２，図３）。
【００１６】
上記主バンド体１０１には、双方の先端位置にバンドの長さ方法に延びる調整ガイド溝１１０が形成されており、該調整ガイド溝１１０は、主バンド体１０１の端縁近傍にまで達している。また、調整ガイド溝１１０が形成されている部分を横断する空面の形状が片仮名の「エ」字を呈するように、主バンド体１０１の表面側に、調整ガイド溝１１０が中央部に配設された表面調整窪み１１１を形成し（図４）、主バンド体１０１の裏面側に、調整ガイド溝１１０が中央部に配設された裏面調整窪み１１２を形成し（図５）、当該調整ガイド溝１１０の断面形状を階段状に形成している。
【００１７】
なお、上記裏面調整窪み１１２は、調整ガイド溝１１０を越えて主バンド体１０１の端縁部にまで達している。
【００１８】
上記副バンド体１０２の基端部表面に係合突起１２０が設けられており、該係合突起１２０は、頂部に軸部よりも大径な張出し頭部１２１が形成されていて、上記係合突起１２０を主バンド体１０１の調整ガイド溝１１０に係合して主バンド体１０１と副バンド体１０２を摺動自在に結合している。なお、副バンド体１０２のバンド基端部１０２ａは、主バンド体１０１の調整ガイド溝１１０が形成されている位置で主バンド体１０１の裏面側と重合させるものであるから、バンド基端部１０２ａの幅寸法は、主バンド体１０１の裏面調整窪み１１２の幅と一致させている。
【００１９】
上記副バンド体１０２の係合突起１２０が主バンド体１０１の調整ガイド溝１１０に係合されると、係合突起１２０の表面側は、張出し頭部１２１が調整ガイド溝１１０の表面調整窪み１１１に係合され、また、裏面側には、副バンド体１０２が裏面調整窪み１１２に係合されるので、主バンド体１０１と副バンド体１０２とは、長さ方向の摺動は自由であるが両者の係合状態は維持されている（図６）。
【００２０】
上記係合突起１２０に形成した張出し頭部１２１は、当該突起の軸部よりも大径に形成されており、また、上記調整ガイド溝１１０の幅は、係合突起１２０の軸部と略同幅であるが、これらの部材はプラスチックの成型品であるから、係合突起１２０の張出し頭部１２１を調整ガイド溝１１０に圧入すれば、当該調整ガイド溝１１０が若干押し広げられて係合突起１２０の進入を許すことができ両者を係合することができるものとなる。
【００２１】
上記係合突起１２０は、主バンド体１０１と副バンド体１０２を摺動自在に結合するものであるから、張出し頭部１２１は実施形態に限らず、両者の係合状態を維持するためのフランジが形成されていればよく、その断面形状は調整ガイド溝１１０の幅よりも若干大きく形成されていれば十分である。
【００２２】
実施形態において、主バンド体１０１と副バンド体１０２を結合する場合は、係合突起１２０を主バンド体１０１の裏面調整窪み１１２から調整ガイド溝１１０内に押し込む。バンド部材１０はプラスチック製であるから、係合突起１２０の張出し頭部１２１が調整ガイド溝１１０よりも若干大きく形成されているが、係合突起１２０を調整ガイド溝１１０内に強く押し込むと、張出し頭部１２１が調整ガイド溝１１０を押し広げて溝内に装着され、その後は係合状態が維持され脱落しないで係合される。
【００２３】
上記副バンド体１０２の係合突起１２０が主バンド体１０１の調整ガイド溝１１０に装着されると、両者が摺動自在に結合されてバンド部材１０が形成されるので、副バンド体１０２をバンドの長さ方向に移動し、副バンド体１０２の摺動位置を適宜の位置に選択することでバンド部材１０の全体の長さ調整が可能となる。
【００２４】
保温カバー３０が被覆されたカップ部材２０を人の耳部にフィットさせるために、主バンド体１０１は、バンド体の頂部近傍の厚みを他の部分よりも若干薄く形成した薄肉部１０１ａを形成している。因みに、主バンド体１０１の最も厚い部分は４．０ｍｍであり、最も薄い部分は３．２ｍｍとした。
【００２５】
上記主バンド体１０１の頂部近傍に形成した薄肉部１０１ａは、バンド部材１０の先端部（カップ部材２０）を互いに装置の内側に向って付勢させるスプリング効果を発揮するものである。これと同時に、各副バンド体１０２には、緩やかな角度で折り曲げた折曲げ部１０２ｂが形成されており、ここでも、折曲げ部１０２ｂが、先端部を互いに近づく方向に付勢させるスプリング効果を発揮するものである。因みに、バンド部材１０の正面視において、左側に配置された副バンド体１０２の折曲げ部１０２ｂは、平仮名の「く」字を呈している。
【００２６】
図７，図８において、上記カップ部材２０は、断面形状がカップ形状を呈するものであって、カップの側壁となる立上り部分に副バンド体１０２をカップ内部に挿入するための第１のバンド挿入口２０１を形成し、また、カップ内部の底部に上記第１のバンド挿入口２０１に対応する第２のバンド挿入口２０２及び第３のバンド挿入口２０３を並列して設けている。なお、第２及び第３のバンド挿入口２０２，２０３は、カップ底部に副バンド体１０２を固定するためのものであり、少なくとも、第２のバンド挿入口２０２は、口部形状が副バンド体１０２の断面形状と略一致した大きさに形成されている。
【００２７】
図中、１３０は、上記副バンド体１０２に設けたストッパー爪片であって、副バンド体１０２を第１のバンド挿入口２０１から第３のバンド挿入口２０３に向かってカップ部材２０内に挿入すると、ストッパー爪片１３０が第２のバンド挿入口２０２を乗り越えた時に、当該ストッパー爪片１３０が第２のバンド挿入口２０２と係合し、カップ部材２０と副バンド体１０２が結合される。
【００２８】
また、上記カップ部材２０には、第１のバンド挿入口２０１に隣接して保温カバー３０をカップ内に挿入するための保温カバー挿入口２１０が設けられている。
【００２９】
保温カバー３０は、保温効果が高い布地で形成されるものであり、予め、一端を開口した袋状に縫製しておく。ここで、保温カバー３０は、カップ部材２０を被覆した後、開口部分を上記保温カバー挿入口２１０からカップ部材２０内に差し込む。なお、副バンド体１０２は、カップ部材２０に保温カバー３０を被覆してから差し込むものであるから、保温カバー３０には副バンド体１０２を差し込むための挿入切り目（詳細は省略）を設けておく。
【００３０】
本発明は上記のような構成であるから、耳覆い装置１を組立てるには、主バンド体１０１の屈曲した内側に副バンド体１０２を接合し、調整ガイド溝１１０に副バンド体１０２の係合突起１２０を押し込み、当該調整ガイド溝１１０に係合突起１２０を摺動自在に係合して主バンド体１０１と副バンド体１０２を結合してバンド部材１０を形成する。副バンド体１０２は、主バンド体１０１の裏面に形成した裏面調整窪み１１２内に収容されるから、主バンド体１０１の屈曲内側面と副バンド体１０２との間に段差が生じないから、人の頭部に直接被るバンド部材１０が、違和感なく装着することができるものとなる。
【００３１】
なお、副バンド体１０２の係合突起１２０を係合する調整ガイド溝１１０が、表面調整窪み１１１内に形成されているから、係合突起１２０を表面調整窪み１１１内に係合した際、張出し頭部１２１が主バンド体１０１から突出することがなく、バンド面が平坦に形成され体裁がよいものとなる。
【００３２】
次に、副バンド体１０２を、既に保温カバー３０が被覆されたカップ部材２０の第１のバンド挿入口２０１から第３のバンド挿入口２０３にまで挿入する。保温カバー３０には予め副バンド体１０２を挿入するための切り目が設けられているから、副バンド体１０２を切り目からカップ内に誘導する。ここで、副バンド体１０２の先端が第２のバンド挿入口２０２を通過すると、副バンド体１０２のストッパー爪片１３０が当該第２のバンド挿入口２０２に係合して両者が結合し通常の力では戻らなくなり、これによって副バンド体１０２とカップ部材２０が結合され耳覆い装置が形成される。
【００３３】
耳覆い装置１は、頭の頂部から被り、カップ部材２０は内側となる平坦面を人の耳部に当接する。この時、カップ部材２０が正しく耳部に当接されていない場合は、主バンド１０１に対して副バンド体１０２を摺動してバンド部材１０の全体の長さを調整する。主バンド１０１と副バンド体１０２は、主バンド１０１に設けた調整ガイド溝１１０に副バンド体１０２の係合突起１２０が摺動自在に結合されているから、副バンド１０２を主バンド体１０１に沿って摺動させるだけでバンド部材１０の全体の長さ調整が可能となる。
【００３４】
本発明においては、バンド部材１０の長さ調整が、耳覆い装置１を人の頭部に装着した後であっても可能となるものであるから、従来構造と比べてバンド部材の長さ調整がきわめて容易であり使い勝手が良いものである。
【００３５】
また、本発明においては、主バンド体１０１の頂部近傍を薄肉部１０１ａに形成したから、バンド部材１０に、カップ部材２０を耳部に押し当てるスプリング効果を発揮させるものでありフィット感に優れたものである。
【符号の説明】
【００３６】
１  耳覆い装置
１０  バンド部材
１０１  主バンド体
１０２  副バンド体
１１０  調整ガイド溝
１１１  表面調整窪み
１１２  裏面調整窪み
１２０  係合突起
１２１  張出し頭部
１３０  ストッパー爪片
２０  カップ部材
２０１  第１のバンド挿入口
２０２  第２のバンド挿入口
２０３  第３のバンド挿入口
２１０  保温カバー挿入口
３０  保温カバー
【図１】
2012034937.tif 000003
【図２】
2012034937.tif 000004
【図３】
2012034937.tif 000005
【図４】
2012034937.tif 000006
【図５】
2012034937.tif 000007
【図６】
2012034937.tif 000008
【図７】
2012034937.tif 000009
【図８】
2012034937.tif 000010